(57)【特許請求の範囲】
【請求項１】
家具本体を支持する折り畳み可能な脚を前記家具本体に対して起こした使用位置にロックするためのものであって、
前記脚の使用位置におけるロック及びロック解除を重力を利用して行い得るように構成し、
前記脚を前記使用位置にした状態で家具本体を倒置することによってロック解除され、前記脚を前記使用位置にした状態で正置することによってロックされる構造のものであり、
脚の折り畳み動作に伴って移動する移動体と、この移動体の移動をガイドするガイド部とを備え、そのガイド部が、脚を前記使用位置にした状態で家具本体を正置したときに移動体の一部をその重力により落とし込んで保持する保持部を備え、
さらに、脚を使用位置に仮保持する補助キャッチ機構を備え、当該補助キャッチ機構の補助キャッチ部材に凹陥部分を設け、使用位置にある脚を凹陥部分に仮保持させるようにし、
前記脚を折り畳み可能に支持すべく家具本体の一部に設けたブラケットに、前記ガイド部、前記保持部及び前記補助キャッチ部材を設けていることを特徴とする脚のロック装置。
【請求項２】
前記ガイド部が、ブラケットに設けたガイド溝であり、保持部がそのガイド溝に設けた凹所であって、移動体が、先端を前記ガイド溝に移動可能に係わり合わせたロッドであることを特徴とする請求項１記載の脚のロック装置。
【請求項３】
ブラケットと脚の間を斜交いに接続する位置にステーを設け、このステーに前記ロッドの基端を接続していることを特徴とする請求項２記載の脚のロック装置。
【請求項４】
脚が、ブラケットに折り畳み可能に支持された内支柱と、この内支柱に外側から嵌合する位置にスライド可能に設けられたパイプ状の外支柱とを備え、その外支柱にステーを接続したものであることを特徴とする請求項３記載の脚のロック装置。
【請求項５】
脚を前記使用位置にした状態で家具本体を正置したときのステーとロッドのなす角度が略９０度であることを特徴とする請求項３又は４記載の脚のロック装置。
【請求項６】
脚を前記使用位置にした状態で家具本体を正置したときのロッドと当該ロッド先端が係わり合っているガイド溝に設けた凹所の長手方向とのなす角度が略９０度であることを特徴とする請求項３、４又は５記載の脚のロック装置。
【請求項７】
家具本体が、矩形状の天板を備えるとともに、脚が、その四隅近傍の下面を支持する位置に設けられ、短辺に平行な軸周りに回転して長辺方向に折り畳み可能とされたものであることを特徴とする請求項１、２、３、４、５又は６記載の脚のロック装置。
【請求項８】
家具本体が、矩形状の天板を備えるとともに、脚が、その四隅近傍の下面を支持する位置に設けられ、短辺に平行な軸周りに回転して長辺方向に折り畳み可能とされたものであり、前記ロッド及び前記ステーが脚に対して天板の短辺の中心側に設けられていることを特徴とする請求項３、４、５又は６記載の脚のロック装置。
【請求項９】
短辺側に配置された一対の脚の間が連結部材によって連結されており、各々の脚に独立して当該ロック装置を設けていることを特徴とする請求項８記載の脚のロック装置。
【発明の詳細な説明】
【０００１】
【発明の属する技術分野】
本発明は、家具における脚のロック装置に関するものである。
【０００２】
【従来の技術】
従来の折り畳みテーブル等の使用に際しては、脚を起こす操作とは別に、これをロックする操作が必要なものや、脚を起こすと自動的にばねによりロックされる構造のものがあった。
【０００３】
【発明が解決しようとする課題】
ところが、このようなものであると、使用者が脚を起こした後、別途にレバー操作等を行わなければならない煩雑さがあり、またロック操作をし忘れて、テーブル使用中に脚が折りたたまれ、倒れるおそれがある。
【０００４】
また、脚を起こすと自動的にばねによりロックされる構造のものにおいては、脚を折りたたむ際にやはりバネをはずすためのレバー操作が必要になったり、構造が複雑になることにより、重量が増すと共に、コストもかかってしまうという課題があった。
【０００５】
【課題を解決するための手段】
そこで以上の課題を解決するために、本発明に係る脚のロック装置は、家具本体を支持する折り畳み可能な脚を前記家具本体に対して起こした使用位置にロックするためのものであって、前記脚の使用位置におけるロック及びロック解除を重力を利用して行い得るように構成し、前記脚を前記使用位置にした状態で家具本体を倒置することによってロック解除され、前記脚を前記使用位置にした状態で正置することによってロックされる構造のものであり、脚の折り畳み動作に伴って移動する移動体と、この移動体の移動をガイドするガイド部とを備え、そのガイド部が、脚を前記使用位置にした状態で家具本体を正置したときに移動体の一部をその重力により落とし込んで保持する保持部を備え、さらに、脚を使用位置に仮保持する補助キャッチ機構を備え、当該補助キャッチ機構の補助キャッチ部材に凹陥部分を設け、使用位置にある脚を凹陥部分に仮保持させるようにし、前記脚を折り畳み可能に支持すべく家具本体の一部に設けたブラケットに、前記ガイド部、前記保持部及び前記補助キャッチ部材を設けていることを特徴とする。本発明においては、脚の使用位置におけるロック及びロック解除を重力を利用して行い得る構造を採用した。
【０００６】
これによって、重力によりロック、ロックの解除が自動的になされるため、ロックのし忘れや、折り畳み時のロック解除のための操作を不要とすることができ、ばねなどを設けるのに比べて、重量、コストの削減をはかることが可能となる。
【０００７】
家具本体を倒置した場合にロック解除の状態に、正置した場合にロック状態となる構造を採用した場合には、家具本体が折り畳みテーブルのようなものである場合に、使用時に正置し収納時に倒置してスタッキングする使い方と合致するので、使い勝手が極めて良好なものとなる。
【０００８】
また、ロック装置を、脚の折り畳み動作に伴って移動する移動体と、この移動体の移動をガイドするガイド部とを備え、そのガイド部が、脚の使用位置で家具本体を使用姿勢にしたときに移動体の一部をその重力により落とし込んで保持する保持部を備えている構造を採用した場合には、移動体の移動する軌道が一定になるため、脚の移動が安定し、また保持部に落とし込むことでロック状態を確実にし、ロックが不慮に外れることも有効に防止することができる。
【０００９】
特に、ガイド部をブラケットに設けたガイド溝とし、保持部をそのガイド溝に設けた凹所とし、移動体を、先端を前記ガイド溝に移動可能に係わり合わせたロッドとする構造を採用した場合には、上記の構成を簡素に実現することができる。
【００１０】
また、ガイド溝及び凹所を、脚を折り畳み可能に支持すべく家具本体の一部に設けたブラケットに形成すれば、脚を支持するために家具本体に本来的に備わる部品を有効利用してロック装置を構成し、部品点数の増加を有効に回避することができる。
【００１１】
さらに、ブラケットと脚の間を斜交いに接続する位置にステーを設け、このステーに前記ロッドの基端を接続するという構造を採用することによって、設計の自由度を確保し、家具使用時における強度を有効に追求することが可能になる。
【００１２】
また、脚を、ブラケットに折り畳み可能に支持された内支柱と、この支柱に外側から嵌合する位置にスライド可能に設けられたパイプ状の外支柱から構成し、その外支柱にステーを接続するという構造をとることによって、ステーにより家具本体の使用時における支持強度を保ちつつ、脚の折り畳みをスムーズに行うことが可能になる。
【００１３】
さらに、脚を前記使用位置にした状態で家具本体を正置したときのステーとロッドのなす角度を略９０度とすることによって、ロッドがステーを支持する力をほぼ最大値とすることができ、家具使用時における脚の安定度を増すことができる。
【００１４】
また、脚を前記使用位置にした状態で家具本体を正置したときのロッドと当該ロッド先端が係わり合っているガイド溝に設けた凹所の長手方向のなす角度を略９０度とすることによって、家具使用時に脚にかかる力がロッドに伝達された場合でも、当該凹所の長手方向への分力を最小のものとすることができるので、ロッドがガイド溝上を移動する可能性を低減して、脚が使用時に不慮に折りたたまれることを効果的に防止することができる。
【００１５】
家具本体が、矩形上の天板を備えると共に、脚をその四隅近傍の下面を支持する位置に設け、短辺に平行な軸まわりに回転して長辺方向に折り畳み可能とした長尺なものである場合には、本発明を適用することによって一人でも作業の可能な使い勝手を容易に付与することができる。
【００１６】
さらに、家具本体が、矩形状の天板を備えるとともに、脚が、その四隅近傍の下面を支持する位置に設けられ、短辺に平行な軸周りに回転して長辺方向に折り畳み可能とされたものであり、前記ロッド及び前記ステーを、脚に対して天板の短辺中心側に設けることによって、家具の使用時にロック装置を外部から見えにくくして外観を整えることが可能となる。上記の家具の短辺側に配置した一対の脚の間を連結部材によって連結し、各々の脚に独立して前記のロック装置を設けることによって、脚を使用位置に移動させた時、どちらの脚のロック装置もロック状態にならないという可能性を、ロック装置を一対の脚で連動させるものとした場合に比べて、低減させることができ、家具使用時に脚が不慮に折りたたまれてしまうことをより高い確率で防止することが可能となる。
【００１７】
【発明の実施の形態】
以下、本発明の一実施形態を、図面を参照して説明する。
【００１８】
本実施形態のロック装置は、図７に示す折り畳みテーブルの脚２に適用されているもので、この折り畳みテーブルは、家具本体である矩形上の天板１と、この天板１の四隅近傍の下面を支持する位置に折り畳み可能に配置された脚２とを具備している。
【００１９】
天板１は、ペーパハニカムコアの周囲を枠体状の芯材またはパーチクル材で包囲し、上下両面を合板等でサンドイッチしたフラッシュ構造（図示省略）をなすものである。
【００２０】
脚２は、図２等に示すように、角パイプ状の外支柱２ａと、この外支柱２ａの内部にテレスコープ状をなしてスライド可能に嵌合された丸パイプ状の内支柱２ｂとから構成されているもので、内支柱２bの上端が短辺に平行な水平支軸を介してブラケット４の側壁４ａに回転可能に取り付けられている。天板１の短辺方向に隣接する一対の脚２の外支柱２ａ間は、図７に示す連結部材１０によって連結されている。
【００２１】
一方、この脚２をロックするロック装置３は、ステー７及び本発明の移動体たるロッド９を主体として構成されているもので、使用位置にある個々の脚２に対してそれぞれ独立に、重力を利用してロック及びロック解除を行い得るものである。
【００２２】
ステー７は、剛性を有する板状素材からなるもので、図１等に示すように、一端を脚２を支持する水平支軸と平行な水平支軸を介して外支柱２ａの上端近傍に取り付けられ、他端を前記水平支軸から変位した位置において、当該水平支軸と平行に配置した水平支軸を介してブラケット４を構成する一対の側壁のうち天板中央側の側壁４ａに取り付けられている。
【００２３】
すなわち、このステー７は、脚２が図１及び図２に示す使用位置にあって内支柱２ｂを外支柱２ａ内に呑み込んだ状態にあるときに外支柱２ａと天板１との入り隅部分に斜交いに掛け渡され、脚２が内支柱２bを外支柱２ａから突出させながら図３→図４のように天板１の下面１ａにほぼ平行に重合する折り畳み位置に移動したときに脚２とほぼ平行をなしてブラケット４の内側の側壁４ａの外面に密接することができるものである。
【００２４】
そして、ロッド９を機能させるにあたり、前記ブラケット４の天板中央側すなわち内側の側壁４ａに、本発明のガイド部たるガイド溝５と、本発明の保持部たる凹所５ｂとを設けている。ガイド溝５は、天板１に略平行に延びる長孔状のものであり、一方、凹所５ｂは、そのガイド溝の天板中央とは反対側の端部５ｄに連続する位置にあって当該端部５ｄより天板１の下方に向かい、且つガイド溝５から離れる方向に向かって斜めほぼ４５度の方向に延びる位置に形成されたものである。
【００２５】
そして、ロッド９を、ほぼコの字形をなして構成し、このロッド９の水平な基端部９ａを前記ステー７の長手方向ほぼ中間部に回転可能に取り付けるとともに、水平な先端部９ｂを前記ガイド溝５内に移動可能に挿入して、脚２が使用位置と折り畳み位置との間を移動する間に、ロッド９はその基端部９ａを前記ステー７に駆動されて先端部９ｂをガイド溝５の一端側から他端部にまで移動させ得るように、且つ脚２が図１に示す使用位置にあるときに、このロッド９と前記ステー７とのなす角度xがほぼ９０度となるように設定している。
【００２６】
なお、前記ブラケット４の上壁の下面４ｂには、図５に示すように、折り畳み位置にある脚２の内支柱２ｂを弾性的に嵌まり込ませて脚２をその位置に保持する合成樹脂等の弾性を有する素材からなるU字状のキャッチ部材８が設けてある。
【００２７】
また、前記ブラケット４の上壁の下面４ｂと脚２の内支柱２ｂの上端との間には、図２に示すように、脚２を使用位置に仮保持する補助キャッチ機構を設けている。この補助キャッチ機構は、ブラケット４の上壁に取り付けた脚固定用の合成樹脂等の弾性を有する素材からなる補助キャッチ部材８ａと、内支柱２ｂの上端を覆う位置に取り付けた合成樹脂等の弾性を有する素材からなる被キャッチ部材６とから構成されているもので、脚２が使用位置にあるときに、補助キャッチ部材８ａに設けた凹陥部分８ｂに被キャッチ部材６に設けた突起部分６ａをクリック結合して脚２をその位置に仮保持することができるものである。この補助キャッチ部材８ａは前記キャッチ部材８とともに樹脂等により一体成形されている。
【００２８】
次に、以上のような構造の脚折り畳みテーブルを前提にして、最初に組立時の使用方法について説明する。
【００２９】
まず図４に示すように天板１の下面１ａが鉛直上方をむいた状態、即ち脚折り畳みテーブルが倒置状態にあるものとする。
【００３０】
この状態から脚２を回転させると、図３→図２に示すように外支柱２ａが内支柱２ｂに対してスライドし、その際に脚２とステー７、ロッド９が連動するので、ロッド９の先端部９ｂが、ブラケット４の側壁４ａに設けた略水平方向のガイド溝５の天板１中央とは反対の端部５ｄまで移動して停止する。
【００３１】
この位置で、内支柱２ｂの上端を覆う位置に取り付けた合成樹脂等の弾性を有する素材からなる被キャッチ部材６に設けられた突起部分６ａが、ブラケット４の底板４ｂに固定された補助キャッチ部材８ａの陥没部分８ｂに嵌まり込む。
【００３２】
そして、その状態から当該折り畳みテーブルを上下反転させて正置する。反転の際は被キャッチ部材６の突起部分６ａと補助キャッチ部材８ａの陥没部分８ｂとがクリック結合しているので、脚２は使用位置に仮保持された状態を保つ。
【００３３】
そしてその際に、ロッド９の先端部９ｂは、当該ガイド溝５の端部５ｄから凹所５ｂの下端５ｅまで落下移動し停止する。
【００３４】
これによって、脚折り畳みテーブルの使用時に生じる、脚２を開く方向に働く力に対しては、ロッド９の圧縮応力がステー７の動きを禁止し、脚２を閉じる方向に働く力に対しては、ロッド９の引っ張り応力がステー７の動きを禁止して、脚２のロック状態を保つ。
【００３５】
次に、折り畳み時について説明する。
【００３６】
まず、図２に示すように脚２が使用位置にある状態のままで天板１の下面１ａが鉛直上方を向くように、倒置する。これによって、ロッド９の先端部９ｂは、ブラケット４の側壁４ａの凹所５ｂの、天板１付近の端部、即ち略平行方向にのびるガイド溝５の天板１中央とは反対方向の端部５ｄまで落下し停止する。
【００３７】
これによってロッド９の先端部９ｂは、略水平方向のガイド溝５を移動可能となり、脚２はロック解除状態になる。
【００３８】
その後、図３→図４に示すように脚２を内側に折り畳む。この操作の際にロッド９の先端部９ｂはブラケット４の側壁４ａに設けた天板１と略平行方向のガイド溝５の天板中心よりの端部５ｃ付近にまで移動して停止する。
【００３９】
以上のようにして、本実施形態のロック装置は、重力によるロッド９の移動を利用することによって、使用時におけるロックのし忘れを回避してテーブルが使用中に倒れることを防止し、また脚２を折りたたむ際のレバー操作を不要として操作性の向上を図ることができ、同時にばねなどを使用するものに比べて構造簡素なものとすることができる。
【００４０】
また、かかる重力によるロック、ロック解除を、テーブルの正置、倒置に連動して引き起こされるようにしているので、テーブルの出し入れ作業に伴ってかかるロック状態の切り替えが無意識のうちに自動的になされることになり、テーブルの使い勝手を有効に向上させることができる。
【００４１】
また、ロック装置３を、脚２の折り畳み動作に伴って移動する移動体たるロッド先端部９ｂと、このロッド先端部９ｂの移動をガイドするガイド部たるガイド溝５とを備え、そのガイド溝５が、脚２の使用位置で天板１を使用姿勢にしたときにロッド先端部９ｂをその重力により落とし込んで保持する保持部たる凹所５ｂを備えている構造を採用しているため、簡素な構造ながら、移動体の移動する軌道を一定にして脚２の移動を安定させることができ、また凹所５ｂに落とし込むことでロック状態を確実にし、ロックが不慮に外れることも有効に防止することができる。
【００４２】
また、ガイド溝５及び凹所５ｂを、脚２を折り畳み可能に支持すべく天板１に設けたブラケット４に形成しているため、脚２を支持するために天板１に本来的に付帯する部品を有効利用してロック装置３を構成し、部品点数の増加を有効に回避することができる。
【００４３】
さらに、天板１と脚２の間を斜交いに接続する位置にステー７を設け、このステー７に前記ロッド９の基端部を接続するという構造を採用しているため、ロッド９の配置の自由度を利用してテーブル使用時における支持強度を有効に追求することが可能になる。
【００４４】
また、脚２を、天板１に折り畳み可能に取り付けた内支柱２ｂと、この支柱２ｂに外側から嵌合する位置にスライド可能に設けたパイプ状の外支柱２aから構成し、その外支柱２aにステー７を接続するという構造を採用しているため、ステー７によりテーブル使用時の支持強度を保ちつつ、脚２の折り畳み動作のスムーズ化を図ることが可能になる。
【００４５】
さらに、家具本体を使用姿勢にしたときのステーとロッドのなす角度を略９０度とすることによって、ロッドがステーを支持する力をほぼ最大値とすることができ、家具使用時における脚の安定度を増すことができる。
さらに、図１に示すように、ブラケット４の側壁４ａに設けられた凹所５ｂが、脚２屹立ロック状態においてロッド９となす角度ｙが略９０度となるように形成しているので、使用時において、脚２にかかる力がステー７を経てロッド９に伝達された場合に、その力の大部分は保持部たる凹所５ｂ長手方向と略垂直な方向にかかり、保持部たる凹所５ｂの長手方向への分力はほとんど生じない状態を作り出すことができる。
【００４６】
これによって、ロッド９の先端部９ｂが凹所５ｂ上を移動する事を防止し、脚２が使用時において、不慮に折りたたまれることを防止することができる。
【００４７】
さらに、ロック装置３の一構成要素であるステー７とロッド９が、脚２を起こした状態においてなす角度ｘが略９０度となるようにしているので、当該折り畳みテーブルの使用中に、脚２を閉じようとする力が働き、ステー７に対して天板１中央方向へ張力がかかる場合に、ロッド９からステー７に与えられる張力を最大値に近いものとすることができる。
【００４８】
また脚２を開こうとする方向に力が働き、ステー７に外側への力がかかる場合に、ロッド９からステー７に与えられる支持力を最大値に近いものとすることができる。これによって脚折り畳みテーブルの使用中の安定性を高めることができる。
【００４９】
また、ロック装置３の構成要素たるステー７と、ロッド９と、ガイド溝５を、ブラケット４の天板１中央側の側壁４ａに設けることによって、ロック装置３が外部から見えにくくなり外観が整うという効果も生じる。
【００５０】
さらに、天板１の短辺方向に隣接する一対の脚２の間を連結部材１０によって連結しているのに対し、一対の脚２に設けられるロック装置３を、相互に接続せず独立に機能するものとしており、ロック装置３が連動して機能しないので、二つのロック装置３が共にロック状態とならない可能性を低下させることができ、使用中にテーブルの脚２が不慮に折りたたまれることを防止することができる。
【００５１】
その他、各部の具体的構成は、上記実施形態に限られるものではなく、本発明の趣旨を逸脱しない範囲で種々変形が可能である。
【００５２】
【発明の効果】
本発明は、以上説明したような形態で実施され、以下に記載される効果を奏する。
【００５３】
すなわち、本発明のロック装置は、脚の使用位置におけるロック及びロック解除を重力を利用して行い得る構造を採用したため、使用時のロック状態を確実にして家具の安全性と信頼性を有効に高めることができ、またロック、ロック解除のための格別な操作を不要にして操作性の向上も図り、構造の簡素化を通じて軽量化やコストダウンも果たすことが可能となる。
【００５４】
特に、家具本体を正置、倒置する操作に伴ってかかる重力によるロック状態の切り替えが自動的に生じるようにしておけば、かかるロック状態の切り替えを家具の出し入れ操作に連動させて有効に引き起こすことができ、家具の使い勝手を有効に向上させることが可能になる。
【００５５】
また、ロック装置を、脚の折り畳み動作に伴って移動する移動体とこれをガイドするガイド部とを備えたものにし、そのガイド部に、脚の使用位置で移動体の一部を重力により落とし込んで保持する保持部を備えておけば、脚のスムーズな挙動を損なうことなく、脚のロック状態を確実にして、安全性と安定性を確保することができる。
【００５６】
この場合、特にガイド部をガイド溝とし、保持部を凹所とし、移動体をロッドとする構造が簡便なものとなる。
【００５７】
特に、ガイド溝及び凹所を、脚を支持すべく家具本体の一部に設けたブラケットに形成しておけば、別途にガイド溝や凹所を構成するための部品を不要にして、部品点数の増加を有効に回避することができる。
【００５８】
さらに、家具本体と脚の間を斜交いに接続する位置にステーを設け、このステーに前記ロッドの基端を接続するという構造を採用すれば、家具使用時における強度の追求を的確に行うことができる。
【００５９】
この場合、脚を、内支柱及び外支柱からなるテレスコープ状のものにし、その外支柱にステーを接続するという構造を採用すれば、脚のスムーズな折り畳み動作を妨げずに上記構成を有効に実現することができる。
【００６０】
さらに家具本体を使用姿勢にしたときのステーとロッドのなす角度を略９０度とすることによって、家具使用時における脚の安定度を増すための有効な強度設計を得ることができる。
【００６１】
また、家具本体を使用姿勢にしたときのロッドと当該ロッド先端が係わり合っているガイド溝に設けた凹所の長手方向のなす角度を略９０度とすることによって、上記のような簡素な構造を利用して、脚が使用時に不慮に折りたたまれること防止して安定度を一層効果的に向上させることができる。
【００６２】
折り畳みテーブルのような長尺な天板構造及び脚による４隅支持構造を持つ家具に本発明のロック装置を適用した場合には、一人でも作業容易な操作性を有効に付与することができる。
【００６３】
さらに、ロック装置を、天板の短辺中心側に設けることによって、家具の使用時にロック装置が外部から見えにくくして外観を整えることが可能となる。
【００６４】
上記の家具の短辺側に配置した一対の脚の間を連結部材によって連結し、各々の脚に独立して前記のロック装置を設けることによって、脚を使用位置に移動させた時、どちらの脚のロック装置もロック状態にならないという可能性を、ロック装置を一対の脚で連動させるものとした場合に比べて、低減させることができ、家具使用時に脚が不慮に折りたたまれてしまうことを防止することが可能となる。
【図面の簡単な説明】
【図１】本実施形態におけるロック装置の脚屹立状態における側面図。
【図２】本実施形態におけるロック装置の脚屹立状態における一部破砕側面図。
【図３】本実施形態におけるロック装置の脚の中間状態における一部破砕側面図。
【図４】本実施形態のおけるロック装置の脚を折り畳んだ状態における一部破砕側面図。
【図５】本実施形態におけるロック装置の斜視図。
【図６】本実施形態におけるロック装置の脚屹立状態における側断面図。
【図７】本実施形態における脚折り畳みテーブルの全体斜視図。
【符号の説明】
１…家具本体（天板）
２…脚
２ａ…外支柱
２ｂ…内支柱
３…ロック装置
４…ブラケット
５…ガイド部（ガイド溝）
５ｂ…保持部（凹所）
７…ステー
９…移動体（ロッド）
１０…連結部材
【図１】
0004161027.tif 000002
【図２】
0004161027.tif 000003
【図３】
0004161027.tif 000004
【図４】
0004161027.tif 000005
【図５】
0004161027.tif 000006
【図６】
0004161027.tif 000007
【図７】
0004161027.tif 000008